(57)【特許請求の範囲】
【請求項１】
軸体の先端に複数のフック状の針を基端方へ向けて所定の角度で拡開させて配列して形成した傘状針を有するイカ用釣針の補整部材であって、外方へ向けて拡開するラッパ状のフランジに内径が前記傘状針の外径にほぼ等しく少なくとも前記傘状針の先端から基端までの距離に等しい深さを有する剛性材により形成された筒体が連設されていることを特徴とするイカ用釣針の補整部材。
【請求項２】
前記請求項１に記載の補整部材が、基板上に配置された固定台に固定されていることを特徴とするイカ用釣針の補整具。
【請求項３】
前記固定台に外径および先端から基端までの距離がそれぞれ異なる複数種類の傘状針に対応する複数種類の補整部材が並設されている請求項２記載のイカ用釣針の補整具。
【請求項４】
前記固定台が断面コ字形で両側板の遊端面が基板に固着されているとともに一方の側板に形成した嵌挿孔に前記補整部材が嵌着されている請求項２または３記載のイカ用釣針の補整具。
【請求項５】
前記固定台に固着された補整部材の先端面が前記固定台のもう一方の側板が筒状の補整部材の底部を形成している請求項４記載のイカ用釣針の補整具。
【発明の詳細な説明】
【技術分野】
【０００１】  本発明は、傘状針を有するイカ用釣針の補整部材および補整具に関するものである。
【背景技術】
【０００２】  従来、例えば図８（ａ）に示すように軸体７１の先端に複数のフック状の針７２を基端方へ向けて所定の角度で拡開させて配列して形成した傘状針７３を有するイカ用釣針７が旧くから用いられている。【０００３】  このイカ用釣針１は複数のフック状の針７２が拡開する方向に引かれることから、図８（ｂ）に示すようにフック状の針が所定の角度以上に開いてしまう事態が生じ、特に、イカ釣りは引き上げ作業の際に、船体に接触したり、巻き上げ機によるローラを通過する際などに生じることになる。【０００４】  そこで、例えば実公昭２９−１２７６８号公報、実公昭４１−５１８３号公報、実開平０２−６４５８号公報などに示されているような手段が提示されている。【０００５】  ところが、前記実公昭２９−１２７６８号公報に提示されているものは傘状針と軸体とを別体に形成するとともに、両者をネジを用いて着脱自在に固着したものであり、製造が容易でないばかりか損傷したときに傘状針を取り外して交換する必要があり、傘状針が大きく破損して使用できない場合に有効であるが、針が拡開したような軽微な損傷の場合には必要がない。【０００６】  また、実公昭４１−５１８３号公報、実開平０２−６４５８号公報などに示されているものも、軸体を屈曲可能な構造としたり、特殊なテグスの掛止部を形成したりするものであり、構成が複雑で製造も容易でないばかりか、操作性も良くない。
【特許文献１】  実公昭２９−１２７６８号公報
【特許文献２】  実公昭４１−５１８３号公報
【特許文献３】  実開平０２−６４５８号公報
【発明が解決しようとする課題】
【０００７】  本発明は、上記のような問題点を解決しようとするものであり、特別にイカ用釣針自体の構成を複雑にすることなしに、簡易に拡開した針先を元の所定の開度に復元して効率よくイカ釣りをすることができるイカ用釣針の補正部材および補整具を提供することを課題とする。
【課題を解決するための手段】
【０００８】  そこで、前記課題を解決するためになされた本発明であるイカ用釣針の補整部材は、軸体の先端に複数のフック状の針を基端方へ向けて所定の角度で拡開させて配列して形成した傘状針を有するイカ用釣針の補整部材であって、外方へ向けて拡開するラッパ状のフランジに内径が前記傘状針の外径にほぼ等しく少なくとも前記傘状針の先端から基端までの距離に等しい深さを有する剛性材により形成された筒体が連設されていることを特徴とする。
【０００９】  針が拡開した状態の傘状針を、補整部材にフランジ側から差し込むと拡開した針が補正部材における筒体の内壁面に圧接して内側方向へ押圧されて元の位置に復帰するので、そのままフランジ側へ引き抜けばよい。
【００１０】  また、前記補整部材を基板上に配置された固定台に固定されている補整具とすることで補整部材が固定されるので使用の際に補正部材が倒れたりすることが無く、安定した状態で使用することができ、前記固定台に外径および先端から基端までの距離がそれぞれ異なる複数種類の傘状針に対応する複数種類の補整部材が並設されている場合には径や長さの異なる各種の傘状針に対応することができる。更に、前記固定台が断面コ字形で両側板の遊端面が基板に固着されているとともに前記側板に形成した嵌挿孔に前記補整具本体が嵌着されている場合には製造が容易であるばかりか基板部分を掴んだり船縁に固定したりすることができ、きわめて使い勝手がよい。更にまた、前記固定台に固着された補整具本体の先端面が当接する固定台の側面が筒状の補整具本体の底部を形成している場合には補整具本体が簡単に有底状となり、傘状針を差し込んだときに底部まで差し込むことにより確実に補整ができるので差し込み加減を調節する必要が無いばかりか引き抜きに支障が無く操作性に優れる。
【発明の効果】
【００１１】  本発明によると、操業により拡開したイカ釣針の傘状針部分を補整具本体に所定の深さまで差し込んで引き抜くだけのきわめて簡単な操作で確実に補整することが可能であり、船上で操業中に連続して使用することができ、更に、全体としてシンプルな構造で廉価に提供することができるとともに耐久性にも優れている。
【発明を実施するための最良の形態】
【００１２】  次に、図面を参照して本発明を実施するための最良の形態について説明する。【００１３】  図１および図２は、本発明における補整具１についての好ましい実施の形態についての概略を示すものであり、補整具１は、例えば縦４５０ｍｍ、横２０００ｍｍ、厚さ０．５ｍｍ程度のステンレス板により形成された基板２と、この基板２の表面に固着された断面コ字形の固定台３と、この固定台３の側板３１に固着された３つの筒形の補整部材４，５，６から構成される。【００１４】  更に詳しく説明すると、前記固定台３は、前記基板２と同じくステンレス板を断面コ字形に折り曲げて形成され、両側板３１，３１の遊端面３３，３３を前記基板２の一角部において一方の端縁２１に沿って溶着されており、前記基板２の端縁２１側の側板３１にそれぞれ径の異なる筒状の補整部材４，５，６の嵌挿孔３４，３５，３６が形成されている。【００１５】  そして、例えば補整部材４（５，６）は、図５に示すように、外方へ向けて拡開するラッパ状のフランジ４１（５１，６１）に筒体４２（５２，６２）が連設されている構成であり、特に筒体４２（５２，６２）は内径Ｄ１が前記イカ用釣針７，８，９の傘状針７３（８３，９３）の外径Ｄ２にほぼ等しいとともに少なくとも前記傘状針７３（８３，９３）の先端から基端までの距離Ｌ２に等しい深さＬ１を有している。【００１６】  この補整部材４（５，６）は所定長さと内外径を有する前記基板２および固定台３と同じくステンレスなどの剛性材により形成された筒の一端にプレス加工などにより拡開してラッパ状のフランジ４１（５１，６１）が連設され、図５に示すように固定台３の側板３１に形成した嵌挿孔３５（３６，３７）に嵌挿して筒体４２（５２，６２）と固定台３における側板３１との接合部において溶接により固着されている。【００１７】  このとき、補整部材４（５，６）の先端縁４３が基板２の表面に当接して補整部材４（５，６）底部を形成する。【００１８】  尚、図面中、符号３８，３８は前記固定台３の長さ方向の両端に形成された開口部３９，３９を覆う硬質合成樹脂製のカバーであり、美観的な効果とともに固定台３の開口部３９，３９を形成する端縁によって使用中に手などが損傷するのを防止して安全に使用することができるという効果を有する。【００１９】  以上の構成を有する補整具１を使用するには、操業時或いは準備の段階で基板２を手に持ち、或いは船縁などの基台に挟み具のような適宜の固定具を用いて固定し（図示せず）、イカの種類など釣り上げる獲物に応じて使用する複数種類のイカ用釣針７（８，９）の傘状針７３（８３，９３）をそれぞれの種類に応じて固定台２に備えられている補整部材４（５，６）に傘状針７３（８３，９３）を定の深さ位置まで差し込み、次いで、そのまま引き抜けばよい。【００２０】  このとき、図７に示すように、拡開した傘状針７３（８３，９３）の針７２（８２，９２）は、補整部材４（５，６）におけるの筒体４２（５２，６２）の内壁面４４（５４，６４）に圧接して内側方向へ押圧されて元の位置に復帰する、のでそのまま引き抜けばよい。【００２１】  特に、本実施の形態では、補整部材４１（５２，６２）の先端縁４３（５３，６３）が基板２���表面に当接して補整部材４（５，６）の底部を形成しているので、使用者は軸７４（８４，８５）を持って、傘状針７３（８３，９３）の先端が補整部材４（５，６）の底部（基板２）に当接するまで差し込むことにより容易に補整が行われたことを確認することができるとともに、傘状針７３（８３，９３）が補整部材４（５，６）を貫通して引き抜きが困難になるなどの心配がない。【００２２】  以上のように本実施の形態は、使い勝手並びにデザイン的にも優れているが、本発明は、本実施の形態に限られるものでなく、基端縁に沿って外方へ向けて拡開するラッパ状のフランジ４１（５１，６１）が連設されているとともに内径Ｒ１が前記イカ用釣針７の傘状針７３の外径Ｒ２にほぼ等しく少なくとも前記傘状針７３の先端から基端までの距離Ｌ２に等しい深さＬ１を有する剛性材からなる筒体４２（５２，６２）から形成される補整部材４（５，６）を用いたものであればよく、固定台３や基板２の存在や形状などは問わない。
【図面の簡単な説明】
【００２３】
【図１】  本発明である補整具の分解した状態を示す斜視図。
【図２】  図１に示した補整具の平面図。
【図３】  図１に示した補整具の正面図。
【図４】  図１に示した補整具の拡大断面図。
【図５】  図１に示した補整具の拡大部分断面図。
【図６】  図１に示した補整具の使用状態を示す説明図。
【図７】  図１に示した補整具の使用状態を示す断面図。
【図８】  イカ用釣針を示す説明図。
【符号の説明】
【００２４】  １  補整具、２  基板、３  固定台、４，５，６  補整部材、３１  側板、３３  遊端面、３４，３５，３６  嵌挿孔、４１，５１，６１  フランジ、４２，５２，６２  筒体、７１，８１，９１  軸体、７２，８２，９２  針、７３，８３，９３  傘状針
【図１】
0004565394.tif 000002
【図２】
0004565394.tif 000003
【図３】
0004565394.tif 000004
【図４】
0004565394.tif 000005
【図５】
0004565394.tif 000006
【図６】
0004565394.tif 000007
【図７】
0004565394.tif 000008
【図８】
0004565394.tif 000009